(57)【要約】【課題】出力信号の配列が異なる４極プラグを判別し、その出力信号の配列に応じて電気的接続を自動的に切り替えることが可能なプラグ接続切替装置及びプラグ接続切替方法を提供することを目的とする。【解決手段】本発明に係るプラグ接続切替装置及びプラグ接続切替方法によれば、ジャック２０に差し込まれたプラグ１０の第１リング端子Ｒ１からの出力信号に対して同期信号分離処理を行い、得られた同期信号成分が同期信号か否かを判別して、第１リング端子Ｒ１及びスリーブ端子Ｓｌと右音声信号出力端Ｒｏｕｔ、映像信号出力端Ｖｏｕｔ及び終端抵抗Ｒｅとの電気的接続を切り替えるため、プラグの出力信号の配列によらず音声信号及び映像信号を、所定の音声信号入力端及び映像信号入力端に確実に出力することができる。【選択図】図１
2008305496.tif 000002
【特許請求の範囲】
【請求項１】
映像信号及び音声信号用のプラグが挿入された際に、前記映像信号及び前記音声信号の信号経路を互いに切り替えるためのプラグ接続切替装置であって、
前記プラグが挿入された際に、該プラグの外周面に露出してかつ挿入側から順次設けられた第１〜第４の端子にそれぞれ対応して電気的に接続される接点部を有するジャック部と、
前記プラグが挿入された際に、前記第２の端子から出力される出力信号に基づいて水平同期信号及び垂直同期信号の少なくともいずれかを分離する同期信号分離回路部と、
前記同期信号分離回路部より前記水平同期信号または前記垂直同期信号が、分離された場合には前記出力信号を映像信号として制御する制御信号を、分離されなかった場合には前記出力信号を音声信号として制御する制御信号を出力する制御部と、
前記制御部より出力される制御信号に応じて、前記第２の端子及び前記第４の端子から出力される各出力信号の信号経路を互いに切り替えるスイッチング部と、
を有することを特徴とするプラグ接続切替装置。
【請求項２】
映像信号及び音声信号用のプラグが挿入された際に、前記映像信号及び前記音声信号の信号経路を互いに切り替えるためのプラグ接続切替方法において、
前記プラグが挿入された際に、該プラグの外周面に露出してかつ挿入側から順次設けられた第１〜第４の端子のうち、当該第２の端子から出力される出力信号に基づいて水平同期信号及び垂直同期信号の少なくともいずれかを分離するステップと、
前記水平同期信号または前記垂直同期信号が、分離された場合には前記出力信号を映像信号として制御する制御信号を、分離されなかった場合には前記出力信号を音声信号として制御する制御信号を出力するステップと、
前記出力される制御信号に応じて、前記第２の端子及び前記第４の端子から出力される各出力信号の信号経路を互いに切り替えるステップと、
を有することを特徴とするプラグ接続切替方法。
【発明の詳細な説明】
【技術分野】
【０００１】
本発明は、ミニプラグに対応した外部入力端子部におけるプラグ接続切替装置及びプラグ接続切替方法に関し、特にプラグからの出力信号に応じて電気的接続を自動的に切り替えるプラグ接続切替装置及びプラグ接続切替方法に関するものである。
【背景技術】
【０００２】
現在、携帯型のビデオカメラ、デジタルカメラ、オーディオプレーヤ、ＤＶＤ（Ｄｉｇｉｔａｌ  Ｖｅｒｓａｔｉｌｅ  Ｄｉｓｃ）プレーヤ等、様々な携帯型の音響機器、音響映像機器が商品化されている。これらの携帯型の音響、映像機器の分野においては、軽量化、小型化、多機能化が日々急速に進んでおり、中でも携帯型オーディオプレーヤは、音楽データの記録を機器内に搭載した小型大容量かつ省電力のハードディスクや半導体メモリに行うことで大幅な軽量化、小型化が達成され、若者を中心に急激に普及している。
【０００３】
上記の携帯型オーディオプレーヤには膨大な数の音楽データを記録することができるため、ユーザはこの携帯型オーディオプレーヤを音楽の再生機器として使用すると同時に一つの記録媒体として利用するケースが増えている。例えば、ユーザがスピーカ等で音楽を聴きたい場合には、この携帯型オーディオプレーヤの出力端子を音響機器の外部入力端子に接続して、携帯型オーディオプレーヤで再生した音楽を音響機器のスピーカから出力する。このような携帯型オーディオプレーヤの出力端子は、小型化の観点からφ３．５のミニプラグが多く採用されている。このため、音響機器も上記の用途を考慮してφ３．５のミニプラグに対応した入力端子（ジャック）を設けたものが商品化されている。
【０００４】
しかしながら、昨今の携帯型オーディオプレーヤは小型のモニタを備え、音楽データに加え映像データをも再生可能なものが一般的となりつつある。これに伴って、携帯型オーディオプレーヤに記録された映像コンテンツを外部モニタ、特に車載されている音響映像機器のモニタにて鑑賞したいとの要望がある。このため、携帯型オーディオプレーヤの出力に用いるプラグも、従来の左右音声信号出力のみの３極プラグから、映像信号出力を加えた４極プラグへと移行している。
【０００５】
ここで、下記［特許文献１］では、ジャックに接続されたφ３．５のプラグが３極プラグであるか４極プラグであるかを自動的に判別して電気的接続を切り替え、３極プラグの場合には左右音声信号のみを、４極プラグの場合には左右音声信号に加え映像信号を出力する発明が開示されている。
【０００６】
【特許文献１】特開平１１−１１０７０４号公報
【発明の開示】
【発明が解決しようとする課題】
【０００７】
［特許文献１］に開示された発明などにより、４極プラグで出力されるアナログ音声信号及び映像信号をスピーカ及び外部モニタ等で出力する場合、これらの信号伝達には一端に４極プラグがもう一端に一般的な外部入力端子であるＲＣＡ端子用のプラグが設けられた変換ケーブルを用いることが多い。しかし、ＲＣＡ端子は３本のプラグを接続しなければならないために形状が大きく、携帯型の小型モニタや車載型の音響映像機器に設置するには不向きである。また、ＲＣＡ端子はプラグが３本であるために接続が煩わしいことに加え、頻繁に抜き差しを行うように設計されていないため着脱に比較的強い力が必要である。このため、音声信号及び映像信号の外部入力端子としてもφ３．５の４極ミニプラグに対応したジャックを採用する商品が開発されている。
【０００８】
しかしながら、φ３．５の４極ミニプラグの各端子からの出力信号の配列には、主に携帯型のＤＶＤプレイヤやデジタルビデオカメラ、一部の携帯型オーディオプレーヤ等で採用されている図４（ａ）に示すような、プラグの先端に位置するチップ端子Ｔから左音声信号（Ｌ）が、先端から２番目に位置する第１リング端子Ｒ１から映像信号（Ｖ）が、先端から３番目に位置する第２リング端子Ｒ２がＧＮＤ端（Ｇ）、プラグの一番根元側、即ち後端に位置するスリーブ端子Ｓｌから右音声信号（Ｒ）がそれぞれ出力されるプラグ１０ａのような配列のものと、多くの携帯型オーディオプレーヤ等で採用されている図４（ｂ）に示すような、チップ端子Ｔから左音声信号（Ｌ）が、第１リング端子Ｒ１から右音声信号（Ｒ）が、第２リング端子Ｒ２がＧＮＤ端（Ｇ）、スリーブ端子Ｓｌから映像信号（Ｖ）が出力されるプラグ１０ｂのような配列のものとが存在する。尚、φ３．５の３極のプラグ９では図４（ｃ）に示すように、スリーブ端子ＳｌがＧＮＤ端（Ｇ）であり、チップ端子Ｔから左音声信号（Ｌ）が、先端から２番目に位置するリング端子（第１リング端子）Ｒ１から右音声信号（Ｒ）が、それぞれ出力される。
【０００９】
このため、外部入力端子として４極プラグに対応したジャックを採用すると、１つのジャックでは出力信号の配列が異なるプラグ１０ａ、１０ｂのどちらか一方にしか対応することができない。つまり、外部入力端子として４極プラグに対応したジャックのみを採用した音響映像機器等は、一方の出力信号配列に属する機器の映像コンテンツしか表示することができないという問題点があり、更なる改善が望まれる。
【００１０】
本発明は、上記事情に鑑みてなされたものであり、出力信号の配列が異なる４極プラグを判別し、その出力信号の配列に応じて電気的接続を自動的に切り替えることが可能なプラグ接続切替装置及びプラグ接続切替方法を提供することを目的とする。
【課題を解決するための手段】
【００１１】
本発明は、
（１）映像信号及び音声信号用のプラグ１０が挿入された際に、前記映像信号及び前記音声信号の信号経路を互いに切り替えるためのプラグ接続切替装置であって、
前記プラグ１０が挿入された際に、該プラグ１０の外周面に露出してかつ挿入側から順次設けられた第１〜第４の端子（チップ端子Ｔ、第１リング端子Ｒ１、第２リング端子Ｒ２、スリーブ端子Ｓｌ）にそれぞれ対応して電気的に接続される接点部を有するジャック部（ジャック２０）と、
前記プラグ１０が挿入された際に、前記第２の端子（第１リング端子Ｒ１）から出力される出力信号に基づいて水平同期信号及び垂直同期信号の少なくともいずれかを分離する同期信号分離回路部２２と、
前記同期信号分離回路部２２より前記水平同期信号または前記垂直同期信号が、分離された場合には前記出力信号を映像信号として制御する制御信号Ｓ１を、分離されなかった場合には前記出力信号を音声信号として制御する制御信号Ｓ２を出力する制御部２４と、
前記制御部２４より出力される制御信号Ｓ１、Ｓ２に応じて、前記第２の端子（第１リング端子Ｒ１）及び前記第４の端子（スリーブ端子Ｓｌ）から出力される各出力信号の信号経路を互いに切り替えるスイッチング部と、
を有することを特徴とするプラグ接続切替装置５０を提供することにより、上記課題を解決する。
（２）映像信号及び音声信号用のプラグ１０が挿入された際に、前記映像信号及び前記音声信号の信号経路を互いに切り替えるためのプラグ接続切替方法において、
前記プラグ１０が挿入された際に、該プラグ１０の外周面に露出してかつ挿入側から順次設けられた第１〜第４の端子のうち、当該第２の端子（第１リング端子Ｒ１）から出力される出力信号に基づいて水平同期信号及び垂直同期信号の少なくともいずれかを分離するステップと、
前記水平同期信号または前記垂直同期信号が、分離された場合には前記出力信号を映像信号として制御する制御信号Ｓ１を、分離されなかった場合には前記出力信号を音声信号として制御する制御信号Ｓ２を出力するステップと、
前記出力される制御信号Ｓ１、Ｓ２に応じて、前記第２の端子（第１リング端子Ｒ１）及び前記第４の端子（スリーブ端子Ｓｌ）から出力される各出力信号の信号経路を互いに切り替えるステップと、
を有することを特徴とするプラグ接続切替方法を提供することにより、上記課題を解決する。
【発明の効果】
【００１２】
本発明に係るプラグ接続切替装置及びプラグ接続切替方法によれば、上記の構成及び手順により、
プラグの出力信号の配列に応じてプラグの端子と信号出力端との電気的接続を自動的に切り替えるため、プラグの出力信号の配列によらずプラグからの音声信号及び映像信号を、所定の音声信号入力端及び映像信号入力端に確実に出力することができる。
【発明を実施するための最良の形態】
【００１３】
以下、本発明に係るプラグ接続切替装置及びプラグ接続切替方法の実施の形態について図面に基づいて説明する。図１は本発明に係るプラグ接続切替装置のブロック図である。図２は本発明に係るプラグ接続切替方法を説明するフローチャートである。図３は本発明に係るプラグ接続切替装置の変形例のブロック図である。
【００１４】
図１に示す本発明に係るプラグ接続切替装置５０は、プラグ１０が差し込まれることで電気的に接続しプラグ１０からの出力信号を伝達するジャック２０と、ジャック２０を介して得られるプラグ１０の第１リング端子Ｒ１からの出力信号に対して同期信号分離処理を行う同期信号分離回路部２２と、同期信号分離回路部２２により分離された同期信号成分が同期信号か否かを判別し制御信号Ｓ１もしくは制御信号Ｓ２を出力する制御部２４と、制御部２４からの制御信号Ｓ１、Ｓ２に応じて第１リング端子Ｒ１及びスリーブ端子Ｓｌと右音声信号出力端Ｒｏｕｔ及び映像信号出力端Ｖｏｕｔとの電気的接続を切り替える第１スイッチング部２６と、同じく制御部２４からの制御信号Ｓ１、Ｓ２に応じて第１リング端子Ｒ１及びスリーブ端子Ｓｌと終端抵抗Ｒｅとの電気的接続を切り替える第２スイッチング部２８と、を有している。そして、プラグ接続切替装置５０は、図示しない画像表示部を有する音響映像機器等の外部入力端子部に搭載されるとともに、右音声信号出力端Ｒｏｕｔ及び映像信号出力端Ｖｏｕｔは音響映像機器側の右音声信号入力端及び映像信号入力端にそれぞれ接続される。
【００１５】
ジャック２０はφ３．５の４極ミニプラグに対応したものであり、ジャック２０の１番奥側に位置する第１端子２０ａがφ３．５の４極ミニプラグであるプラグ１０のチップ端子Ｔに、ジャック２０の奥側から２番目に位置する第２端子２０ｂが第１リング端子Ｒ１に、ジャック２０の奥側から３番目に位置する第３端子２０ｃが第２リング端子Ｒ２に、ジャック２０の１番手前側に位置する第４端子２０ｄがスリーブ端子Ｓｌに、それぞれ電気的に接続される。このうち、第１端子２０ａは音響映像機器側の左音声信号入力端に左音声信号出力端Ｌｏｕｔを介して接続され、チップ端子Ｔから出力される左音声信号（Ｌ）を左音声信号入力端に伝達する。また、ＧＮＤ端である第２リング端子Ｒ２は第３端子２０ｃを介してＧＮＤに接続される。
【００１６】
ジャック２０の第２端子２０ｂは同期信号分離回路部２２に接続され、同期信号分離回路部２２はプラグ１０の第１リング端子Ｒ１からの出力信号に対して映像信号成分と同期信号成分との分離処理を行う。更に、同期信号分離回路部２２は分離された同期信号成分に対して水平同期信号分離処理及び垂直同期信号分離処理を行い、得られた水平同期信号成分Ｓｈと垂直同期信号成分Ｓｖとを制御部２４に出力する。
【００１７】
制御部２４は同期信号分離回路部２２からの水平同期信号成分Ｓｈ及び垂直同期信号成分Ｓｖが、それぞれ水平同期信号及び垂直同期信号であるか否かを判別し、その判別結果に応じて第１スイッチング部２６及び第２スイッチング部２８に対し制御信号Ｓ１もしくは制御信号Ｓ２を出力する。尚、制御部２４はプラグ接続切替装置５０に個別に設けてもよいが、プラグ接続切替装置５０が設置されている音響映像機器等の制御部がこれを兼ねることが好ましい。
【００１８】
第１スイッチング部２６の入力側にはジャック２０の第２端子２０ｂと第４端子２０ｄが接続され、また出力側には右音声信号出力端Ｒｏｕｔ及び映像信号出力端Ｖｏｕｔが接続される。尚、前述のように右音声信号出力端Ｒｏｕｔは音響映像機器側の右音声信号入力端に、映像信号出力端Ｖｏｕｔは音響映像機器側の映像信号入力端に、それぞれ接続されている。
【００１９】
そして、第１スイッチング部２６は制御部２４からの制御信号Ｓ１、Ｓ２に応じて、第２端子２０ｂ及び第４端子２０ｄと右音声信号出力端Ｒｏｕｔ及び映像信号出力端Ｖｏｕｔとの電気的接続を切り替える。これにより、プラグ１０の第１リング端子Ｒ１及びスリーブ端子Ｓｌと右音声信号出力端Ｒｏｕｔ及び映像信号出力端Ｖｏｕｔとの電気的接続が切り替わる。
【００２０】
また、第２スイッチング部２８の入力側には、第１スイッチング部２６と同様にジャック２０の第２端子２０ｂと第４端子２０ｄが接続され、出力側には７５Ωの終端抵抗Ｒｅが接続される。そして、第２スイッチング部２８は制御部２４からの制御信号Ｓ１、Ｓ２に応じて、第２端子２０ｂ及び第４端子２０ｄと終端抵抗Ｒｅとの電気的接続を切り替える。これにより、プラグ１０の第１リング端子Ｒ１及びスリーブ端子Ｓｌと終端抵抗Ｒｅとの電気的接続が切り替わる。
【００２１】
次に、本発明に係るプラグ接続切替装置５０のプラグ接続切替方法を、図２のフローチャートを用いてさらに詳しく説明する。
【００２２】
先ず、ジャック２０にプラグ１０が差し込まれると、プラグ１０の第１リング端子Ｒ１の出力信号がジャック２０の第２端子２０ｂを介して取得される（ステップＳ１００）。
【００２３】
次に、取得された第１リング端子Ｒ１の出力信号に対して同期信号分離回路部２２が同期信号分離処理を行い（ステップＳ１０２）、得られた水平同期信号成分Ｓｈと垂直同期信号成分Ｓｖとを制御部２４に出力する。
【００２４】
次に、制御部２４は同期信号分離回路部２２からの水平同期信号成分Ｓｈが水平同期信号か否かを判別し（ステップＳ１０４）、水平同期信号でなければ制御信号Ｓ２を第１スイッチング部２６及び第２スイッチング部２８に出力する（ステップＳ１１０）。また、水平同期信号成分Ｓｈが水平同期信号であれば、更に同期信号分離回路部２２からの垂直同期信号成分Ｓｖが垂直同期信号か否かを判別し（ステップＳ１０６）、垂直同期信号でなければ同様にステップＳ１１０にて制御信号Ｓ２を第１スイッチング部２６及び第２スイッチング部２８に出力する。また、垂直同期信号成分Ｓｖが垂直同期信号であれば、制御信号Ｓ１を第１スイッチング部２６及び第２スイッチング部２８に出力する（ステップＳ１０８）。尚、ステップＳ１０４とステップＳ１０６との判別動作は入れ替えても良い。
【００２５】
第１スイッチング部２６及び第２スイッチング部２８は制御部２４からの制御信号Ｓ１を受けると、第２端子２０ｂを介して第１リング端子Ｒ１と映像信号出力端Ｖｏｕｔとを接続し、また第４端子２０ｄを介してスリーブ端子Ｓｌと右音声信号出力端Ｒｏｕｔとを接続し、更に第１リング端子Ｒ１と終端抵抗Ｒｅとを接続する（ステップＳ１２０）。
【００２６】
また、第１スイッチング部２６及び第２スイッチング部２８は制御部２４からの制御信号Ｓ２を受けると、第２端子２０ｂを介して第１リング端子Ｒ１と右音声信号出力端Ｒｏｕｔとを接続し、また第４端子２０ｄを介してスリーブ端子Ｓｌと映像信号出力端Ｖｏｕｔとを接続し、更にスリーブ端子Ｓｌと終端抵抗Ｒｅとを接続する（ステップＳ１２２）。
【００２７】
ここで、ジャック２０に差し込まれるプラグ１０がプラグ１０ａの出力配列を有するものである場合、第１リング端子Ｒ１からの出力信号は映像信号（Ｖ）であるから、これには水平同期信号及び垂直同期信号とが重畳されている。よって、この出力信号に対して同期信号分離処理を行えば、得られる水平同期信号成分Ｓｈと垂直同期信号成分Ｓｖは、それぞれ水平同期信号及び垂直同期信号そのものとなる。よって、制御部２４はこれらを的確に判別して第１スイッチング部２６及び第２スイッチング部２８に対して制御信号Ｓ１を出力する。
【００２８】
前述のように制御信号Ｓ１が出力されると第１スイッチング部２６は、第２端子２０ｂを介して第１リング端子Ｒ１と映像信号出力端Ｖｏｕｔとを接続し、第４端子２０ｄを介してスリーブ端子Ｓｌと右音声信号出力端Ｒｏｕｔとを接続する。更に、映像信号（Ｖ）には７５Ωの終端抵抗Ｒｅが必要であることから、第２スイッチング部２８は制御信号Ｓ１を受けると、終端抵抗Ｒｅとの接続を第１リング端子Ｒ１の側に切り替える。以上が、第１スイッチング部２６及び第２スイッチング部２８における図１中の実線で示すスイッチング動作である。
【００２９】
このスイッチング動作により、第１リング端子Ｒ１からの映像信号（Ｖ）は映像信号出力端Ｖｏｕｔを介して音響映像機器の映像信号入力端へと出力される。また、第１リング端子Ｒ１から映像信号（Ｖ）が出力されていれば、スリーブ端子Ｓｌからは右音声信号（Ｒ）が出力されているから、上記のようにスリーブ端子Ｓｌと右音声信号出力端Ｒｏｕｔとが接続されることで、右音声信号（Ｒ）は右音声信号出力端Ｒｏｕｔを介して音響映像機器の右音声信号入力端へと出力される。
【００３０】
また、ジャック２０に差し込まれるプラグ１０がプラグ１０ｂの出力配列を有するものである場合、第１リング端子Ｒ１からの出力信号は右音声信号（Ｒ）であるから、これには同期信号は重畳されていない。このため、この出力信号に対して同期信号分離処理を行っても、得られる水平同期信号成分Ｓｈと垂直同期信号成分Ｓｖとはそれぞれ水平同期信号及び垂直同期信号とは全く異なったものとなる。よって、制御部２４はこれらを的確に判別して第１スイッチング部２６及び第２スイッチング部２８に対して制御信号Ｓ２を出力する。
【００３１】
前述のように制御信号Ｓ２が出力されると第１スイッチング部２６は、第２端子２０ｂを介して第１リング端子Ｒ１と右音声信号出力端Ｒｏｕｔとを接続し、第４端子２０ｄを介してスリーブ端子Ｓｌと映像信号出力端Ｖｏｕｔとを接続する。更に、第２スイッチング部２８は制御信号Ｓ２を受けると、終端抵抗Ｒｅとの接続をスリーブ端子Ｓｌの側に切り替える。以上が、第１スイッチング部２６及び第２スイッチング部２８における図１中の破線で示すスイッチング動作である。
【００３２】
このスイッチング動作により、第１リング端子Ｒ１からの右音声信号（Ｒ）は右音声信号出力端Ｒｏｕｔを介して音響映像機器の右音声信号入力端へと出力される。また、第１リング端子Ｒ１から右音声信号（Ｒ）が出力されていれば、スリーブ端子Ｓｌからは映像信号（Ｖ）が出力されているから、上記のようにスリーブ端子Ｓｌと映像信号出力端Ｖｏｕｔとが接続されることで、映像信号（Ｖ）は映像信号出力端Ｖｏｕｔを介して音響映像機器の映像信号入力端へと出力される。
【００３３】
以上のように、本発明に係るプラグ接続切替装置５０によれば、プラグ１０の出力信号の配列がプラグ１０ａのものであっても、プラグ１０ｂのものであっても、映像信号（Ｖ）を映像信号出力端Ｖｏｕｔに、右音声信号（Ｒ）を右音声信号出力端Ｒｏｕｔに出力することができる。このため、どちらの出力配列を採用している機器であっても、その映像信号（Ｖ）、右音声信号（Ｒ）は音響映像機器等の右音声信号入力端及び映像信号入力端へと確実に出力され、音響映像機器等の画像表示部及びスピーカ等で表示もしくは出力することができる。
【００３４】
尚、本発明に係るプラグ接続切替装置５０は、図３に示すように、第１スイッチング部２６と映像信号出力端Ｖｏｕｔとの間に終端抵抗Ｒｅを設け、第１スイッチング部２６が第２スイッチング部２８を兼ねるようにしても良い。このような構成とすれば、第２スイッチング部２８に関わる部材や第２スイッチング部２８への信号経路を削減することができるため、省スペース化及び省コスト化を図ることができる。
【００３５】
また、本実施の形態においては、誤検出防止の観点から水平同期信号成分Ｓｈと垂直同期信号成分Ｓｖの双方に対して判断処理を行っているが、これは水平同期信号成分Ｓｈもしくは垂直同期信号成分Ｓｖのどちらか一方による判断処理でも構わない。このような構成とすれば、制御部２４の処理が容易となり制御部２４に対する負荷の軽減を図ることができる。
【００３６】
また、プラグ１０のスリーブ端子Ｓｌからの信号出力に同期信号分離処理を行い、これを判別して電気的接続を切り替える構成も考えられるが、この構成ではジャック２０に３極のミニプラグであるプラグ９が差し込まれた場合に不具合が生じる。つまり、プラグ９のスリーブ端子ＳｌはＧＮＤ端であり映像信号（Ｖ）ではないから同期信号は存在しない、このため上記の構成ではＧＮＤ端であるスリーブ端子Ｓｌを右音声信号出力端Ｒｏｕｔに、右音声信号（Ｒ）を出力しているリング端子（第１リング端子）Ｒ１を映像信号出力端Ｖｏｕｔにそれぞれ接続してしまい、その結果、右音声が出力されないこととなる。
【００３７】
しかしながら、プラグ接続切替装置５０の構成では、３極のプラグ９が差し込まれた場合でも、右音声信号（Ｒ）を出力しているリング端子（第１リング端子）Ｒ１は右音声信号出力端Ｒｏｕｔに接続されるため、右音声は正常に出力される。尚、ＧＮＤ端であるスリーブ端子Ｓｌと映像信号出力端Ｖｏｕｔとが接続されるが、もともとプラグ９には映像信号（Ｖ）は存在しないため、いずれにしろ映像が表示されることはなく特に大きな障害が発生することはない。
【００３８】
更に、プラグ接続切替装置５０を画像表示部を有さない音響機器等に搭載し、プラグ接続切替装置５０の映像信号出力端Ｖｏｕｔを音響機器側のＧＮＤ端などに接続すれば、プラグ１０がどちらの出力信号配列のものであっても、左右音声を正常に出力することが可能となる。
【００３９】
尚、本発明に係るプラグ接続切替装置５０は、外部からの音声信号もしくは音声信号及び映像信号を入力可能な、車載型のＤＶＤプレーヤ、車載型テレビ、カーナビゲーションシステム、カーステレオ、携帯型のＤＶＤプレーヤ、携帯型テレビ、携帯型モニタ、テレビ、パーソナルコンピュータ、ステレオ、アンプ付スピーカなどの音響機器、音響映像機器等の外部入力端子部に適用することができる。また更に、本発明は本発明の要旨を逸脱しない範囲で変更して実施することが可能である。
【図面の簡単な説明】
【００４０】
【図１】本発明に係るプラグ接続切替装置のブロック図である。
【図２】本発明に係るプラグ接続切替方法を説明するフローチャートである。
【図３】本発明に係るプラグ接続切替装置の変形例のブロック図である。
【図４】ミニプラグの出力信号の配列を示す図である。
【符号の説明】
【００４１】
１０、１０ａ、１０ｂ    プラグ
２０    ジャック
２２    同期信号分離回路部
２４    制御部
２６    第１スイッチング部
５０    プラグ接続切替装置
Ｒ１    第１リング端子
Ｒｅ    終端抵抗
Ｓｌ    スリーブ端子
Ｓ１、Ｓ２    制御信号
Ｒｏｕｔ    右音声信号出力端
Ｖｏｕｔ    映像信号出力端
【図１】
2008305496.tif 000003
【図２】
2008305496.tif 000004
【図３】
2008305496.tif 000005
【図４】
2008305496.tif 000006